(57)【要約】【課題】予め植種することなく、テングサ浮遊栄養体を確実に付着させ、早期に生育させることが可能なテングサ海藻礁を提供すること。【解決手段】微細な枝毛のある合成繊維布３で棒状の突起物２を被覆して成る。合成繊維布３を袋状とし、基盤１の表面に複数の突起物２を植設しても良い。【選択図】図１
2008193917.tif 000002
【特許請求の範囲】
【請求項１】
微細な枝毛のある合成繊維布で棒状の突起物を被覆して成ることを特徴としたテングサ海藻礁。
【請求項２】
前記合成繊維布を袋状としてある請求項１に記載のテングサ海藻礁。
【請求項３】
基盤の表面に複数の前記突起物を植設してある請求項１又は２に記載のテングサ海藻礁。
【発明の詳細な説明】
【技術分野】
【０００１】
本発明は、浮遊するテングサ（マクサＧｅｌｉｄｉｕｍ  ｅｌｅｇａｎｓ）を捕捉して着床させるテングサ海藻礁に関する。
【背景技術】
【０００２】
テングサは、寒天の原料であって食用としても有用であり、その群落は様々な生物の餌場となるため、磯焼けや火山の噴火によって荒廃したテングサ藻場は速やかに回復させる必要がある。
ところで、テングサは、栄養素を摂取し、成長する栄養体と称される本体部分の切れ端が海中を浮遊し、この栄養体が新たな場所に絡みつくと仮根を出して確実に固定されることにより繁殖する。また、火山灰粒子濃度が高く海藻の着生や成長に適していない海域において、テングサは水平な海底ではなく、火山灰等の粒子が堆積し難い起立した面に多く着生することが知られている。
【０００３】
従来、海藻を人工的に育成する海藻礁が種々提案されている。
例えば、金属体より成る海藻の着床部材を海底に移植したもの（特許文献１）、着床片が複数混入された繊維状廃プラスチックの塊状体と、塊状体に結合された係留体と、フロートとから成る藻類育成具（特許文献２）、コンクリートブロックにソフトコンクリートを打ち接ぎ、ソフトコンリートの部分に、フェルト生地、スポンジ生地等から成る着床部材を取付けた人工藻場造成用の海洋ブロック（特許文献３）等が知られている。
しかし、これらのものは、海藻の胞子を人手によって強制的に着床させるので、着床作業に手間と時間がかかる。
【０００４】
また、天然若しくは合成繊維から成る不織布状基体或いは編織布状基体を含んだ海藻類の付着基質を海底に設置し、海藻の胞子を捕捉して着床させる海藻類の付着基質が公知である（特許文献４）。
しかし、この付着基質は、海底等に敷設するマット状に形成してあるので、起立した面に繁茂するテングサを付着生育させるには適していない。
【０００５】
【特許文献１】特開平１１−１９６６９６号公報
【特許文献２】特開２００１−１７８３０５号公報
【特許文献３】特開２００４−１０５０６０号公報
【特許文献４】特開平８−１３０９９９号公報
【発明の開示】
【発明が解決しようとする課題】
【０００６】
本発明が解決しようとする課題は、予め植種することなく、テングサ浮遊栄養体を確実に付着させ、早期にテングサを生育させることが可能なテングサ海藻礁を提供することにある。
【課題を解決するための手段】
【０００７】
本発明のテングサ海藻礁は、微細な枝毛のある合成繊維布で棒状の突起物を被覆して成る。
合成繊維布は袋状とするのが望ましい。
基盤の表面に複数の前記突起物を植設すると良い。
【発明の効果】
【０００８】
請求項１に係る発明によれば、浮遊するテングサ栄養体が棒状の突起物にまとわりつき、これを突起物に被せた合成繊維布で捕捉して育成するので、テングサを植種したり、人手によって支持体に止め付ける手間が不要である。
また、合成繊維布の素材である合成繊維は、綿繊維に比べて湾曲した長い繊維を有するので、付着性に優れ、テングサが脱落し難いため、確実にテングサ群落を形成できる。
さらに、合成繊維布は、天然繊維に比べて水中の生物や微生物の影響を受け難く、耐久性に優れる。
【０００９】
請求項２に係る発明によれば、合成繊維布を効率良く突起物に被せることができる。
請求項３に係る発明によれば、広い面積に容易に海藻礁を設置することができ、広範囲のテングサ漁場を短期間で育てたり、災害等で荒廃したテングサ漁場を速やかに回復させることが可能となる。また、テングサが適度に密集して生育するので、収穫も容易で、磯根資源の餌料ともなる。
【発明を実施するための最良の形態】
【００１０】
以下、本発明の実施例を図面に基づいて詳細に説明する。
図１に示すように、本発明のテングサ海藻礁Ａは、基盤１の表面に棒状の突起物２を複数（本実施例では４本）植設し、突起物２を微細な枝毛のある合成繊維布３でそれぞれ被覆して成る。
基盤１は、縦８０ｃｍ×横８０ｃｍ×厚さ２０ｃｍ程度のコンクリート板であり、直径１０ｍｍ、長さ約１０ｃｍのボルトより成る突起物２を４０ｃｍ程度の間隔をあけて垂直に植設してある。
【００１１】
合成繊維布３は、ポリエステル繊維等を素材にして細長い袋状に編んだものであり、これを突起物２の先端からそれぞれ被せて紐で縛り付け、水流により流されないよう固定してある。
図３に示すように、このような微細な枝毛のある合成繊維は、綿繊維に比べて繊維長が長く、湾曲しているので、テングサの先端部が繊維に絡まりやすく、付着後にも脱落し難い。
また、合成繊維は、天然繊維と比較して水中の虫や微生物の影響を受け難く、耐久性に富む。
【００１２】
実験により、テングサ海藻礁Ａのテングサに対する付着性を検証した。
水槽内に、テングサ海藻礁Ａと、比較例として、合成繊維布３に代えて綿繊維編布を被せたもの、及び、突起物（ボルト）２を剥き出しにしたものを沈め、２０ｍ／ｓの流速でテングサ浮遊栄養体を流し、テングサ海藻礁Ａ及び比較例にそれぞれ１２本ずつ付着させた。
次いで、水槽内にテングサ浮遊栄養体を流した時と逆方向の水流を形成し、その流速を変化させてテングサの残存率を調べた。図４に、テングサ海藻礁Ａ及び比較例における流速とテングサ残存率との関係を示す。
この実験から、テングサ海藻礁Ａは、流速２０ｍ／ｓであっても約８５％のテングサが残存し、比較例と比べて圧倒的に高い付着性のあることがわかった。
【００１３】
本発明のテングサ海藻礁Ａを大島南岸部の海中に設置し（２００５年９月）、１０日後にテングサの付着状況を調べた。浮遊しているテングサは起立した面に付着しやすく、合成繊維布３の繊維に絡まりやすいので、１０日後には全ての合成繊維布３にテングサが付着していた。図５に、１０日後のテングサ海藻礁Ａを示す。
また、図６に、合成繊維布３に付着したテングサの様子を示す。図６から、テングサの先端部が湾曲した長い合成繊維に絡まって捕捉されていることがわかる。
さらに、設置後１年経過した時のテングサ海藻礁Ａの状態を調査した。図７に、設置後１年経過して、テングサが付着生育したテングサ海藻礁Ａを示す。
１年後には、多数の合成繊維布３にテングサが付着し、収穫サイズまで生育しており、テングサ以外の海藻の付着は観察されなかった。これは、設置後１０日間という短期間でテングサが付着し、他の藻類の侵入を阻止しているためではないかと考えられる。
【００１４】
なお、単独の突起物に袋状の合成繊維布を被せ、これを多数海底に起立させてもよいが、上記実施例のように基盤１に複数の突起物２を取付けると、広範囲の海中に容易に設置できる。
また、平らな合成繊維布を突起物に巻き付けることも考えられるが、袋状にしたほうが被せやすく、既製の手袋の指部を切り取って利用することもできる。
【図面の簡単な説明】
【００１５】
【図１】本発明の実施例を示すテングサ海藻礁の斜視図。
【図２】本発明の実施例を示すテングサ海藻礁の要部斜視図。
【図３】合成繊維布の拡大図。
【図４】流速とテングサ残存率との関係を示す図。
【図５】設置後１０日経過したテングサ海藻礁の状態を示す図。
【図６】設置後１０日経過したテングサ海藻礁とテングサの状態を拡大して示す図。
【図７】設置後１年経過したテングサ海藻礁の状態を示す図。
【符号の説明】
【００１６】
Ａ  テングサ海藻礁
１  基盤
２  突起物
３  合成繊維布
【図１】
2008193917.tif 000003
【図２】
2008193917.tif 000004
【図４】
2008193917.tif 000005
【図３】
2008193917.tif 000006
【図５】
2008193917.tif 000007
【図６】
2008193917.tif 000008
【図７】
2008193917.tif 000009